(57)【要約】【課題】リモコンケース内の既設の信号発信素子を該リモコンケース内の別の位置に用意されている取り付け部に付け替えるのみで、該信号発信素子と受光部との位置関係を適切な設置関係にできるコントローラを提供する。【解決手段】リモコンケース１内に収納されたプリント基板２上に、信号発信素子３用の取り付け部２１を複数個所設けると共に、取り付け部２１に対応させてリモコンケース１に発信窓部１１を形成したコントローラを構成し、コントローラの設置場所に応じて信号発信素子３の取り付け部２への取り付け位置を選択変更可能にする。【選択図】図２
2010074570.tif 000002
【特許請求の範囲】
【請求項１】
リモコンケース内に収納されたプリント基板上に、信号発信素子用の取り付け部を複数個所設けると共に、該取り付け部に対応させてリモコンケースに発信窓部を形成したコントローラを構成し、該コントローラの設置場所に応じて、信号発信素子の取り付け部への取り付け位置を選択変更可能にしたコントローラ。
【発明の詳細な説明】
【技術分野】
【０００１】
本願発明は、例えば壁に取り付けられて使用されるコントローラであって、各種の電気器具や電気装置を制御するコントローラに係り、特に、制御信号を発する信号発信素子のコントローラへの取り付け個数や取り付け位置を選択変更できるコントローラに関するものである。
【背景技術】
【０００２】
従来、例えば特許文献１には、トイレの温水洗浄装置をコントロールするリモコンが開示されており、該リモコンはトイレの壁面に装着されている場合が多かった。この壁付け型リモコンは、信号光を発生する発光体を複数個内蔵し、それぞれの発光体の発光方向を異ならしめ、該壁付け型リモコンの設置と受光部との位置関係を考慮した上で発光作動させる発光体を選定するための選定手段とを備えたものであった。
【０００３】
上記複数個の発光体を具えた理由は、トイレルームの温水洗浄装置の受光部は、人体を挟んで壁付け型リモコンと反対側に配置されたり、あるいは比較的高さの低い位置に設置されたりすること等により、壁付け型リモコンから信号光が届きにくいことにあった。
【特許文献１】特開２００５−０６４６５２号公報
【発明の開示】
【発明が解決しようとする課題】
【０００４】
上記特許文献１に記載の技術においては、発光量を多くするために設けた複数個の発光体は予めリモコン内の所定位置に装着されていた。そのため、受光部の位置とリモコンに設けられた発光体の位置が適切に合わない場合、リモコン自身の位置を移動調節する必要があった。しかし、設置壁面の制限等もあり、受光部と発光体との相対的位置関係が正常にならない場合あり、最悪の場合該リモコンをななめに傾けて設置しなければならず、外観上好ましいものではなかった。
【０００５】
本願発明は、上記背景技術に鑑みてなしたものであり、その目的は、信号発信素子と受光部との位置関係を適切な設置関係にできるコントローラを提供せんとするものである。
【課題を解決するための手段】
【０００６】
上記課題を解決するために、本願請求項１に記載の発明に係るコントローラは、リモコンケース内に収納されたプリント基板上に、信号発信素子用の取り付け部を複数個所設けると共に、該取り付け部に対応させてリモコンケースに発信窓部を形成したコントローラを構成し、該コントローラの設置場所に応じて、信号発信素子の取り付け部への取り付け位置を選択変更可能にしたことを特徴としている。
【発明の効果】
【０００７】
本願請求項１記載の発明に係るコントローラは、リモコンケース内に収納されたプリント基板上に、信号発信素子を取り付けるための取り付け部を複数個所設けているから、コントローラの設置位置と受光部との位置関係にあわせて信号発信素子を最も適切な任意の取り付け部に取り付けることができる。従って、該コントローラの設置作業を効率よく行うことができる。また、通常必要とされる１個又は２個の信号発信素子を上記取り付け部の適切な場所（通常はコントローラの上端面）に取り付け、該信号発信素子の発信信号を発信窓部を介して受光部（図示せず）に向かって発信したときにおいて、万が一、当該受光部の受信状態が悪い場合には、当該信号発信素子のプリント基板への取り付け位置を替えるか、又は、新たな信号発信素子を残りの取り付け部に装着することにより、受光部の受信状態が良好な状態でコントローラを短時間に効率よく設置できる。
【発明を実施するための最良の形態】
【０００８】
以下、本願発明のコントローラに係る実施の形態について、図面を参照して詳細に説明する。図１は、本願発明に係るコントローラの外観斜視図であり、図２はコントローラの内部を示す斜視図であり、リモコンケースの正面蓋を取り外したときの状態を示している。図において、１はリモコンケースであり、リモコンケース１の上端部には２個の発信窓部１１、１１が形成され、リモコンケース１の正面蓋１２の左右にも２個の発信窓部１１、１１が設けられている。それぞれの発信窓部１１には透光体１３が装着されている。２はプリント基板であり該プリント基板２には最大４個の信号発信素子３を装着できる４個の取り付け部２１が設けられており、該取り付け部２１には信号発信素子３が着脱自在に装着され得る。発信窓部１１に対応して取り付け部２１が設けられている。同図に示すように、信号発信素子３から発信された信号３１は発信窓部１１及発信窓部１１に装着された透光体１３を介して図外受光部に向かって発信される。
【０００９】
図１、図２に示した実施の形態においては、上段左右の取り付け部２１、２１に信号発信素子３、３が装着され、下段左右の取り付け部２１、２１には信号発信素子３は取り付けられていない。この場合において、当該上段の信号発信素子３を外して下段の取り付け部２１に取り付けることができる。上記実施の形態では２個の信号発信素子３、３を用いているが、１個の信号発信素子でもよく、その個数は受光部の個数や感度によって適宜決定される。
【００１０】
図３は、コントローラの内部を示す斜視図であり、リモコンケース１の正面蓋を取り外した状態を示している。同図に示すように、この実施の形態では、図２に示したプリント基板２の４箇所の取り付け部２１の全てに、信号発信素子３を取り付けたものである。
【００１１】
図４は、上記コントローラの外観斜視図であり、この実施の形態では、図３に示した４個の信号発信素子の内、左側の２個の信号発信素子３、３のみを取り付けた状態でリモコンケース１の正面蓋１２を装着したものである。図４に示した実施の形態では、受光部（図示せず）がコントローラに向かって左側上部に存在する場合に適用される。
【００１２】
本願発明のコントローラは、その設置場所や受光部の数量や場所に応じて、信号発信素子の数量及びその取り付け部の位置を適宜変更可能としているので、一種類のコントローラで、設置条件のことなる多くの電気機器を制御できる。
【図面の簡単な説明】
【００１３】
【図１】本願発明に係るコントローラの外観斜視図であり、リモコンケースの上端部の左右に設けられ発信窓部から、リモコンケースの内部に取り付けられた信号発信素子が信号を発している状態を示している。
【図２】上記コントローラの内部を示す斜視図であり、リモコンケースの正面蓋を取り外したときの状態を示している。
【図３】上記コントローラの内部を示す斜視図であり、リモコンケースの正面蓋を取り外した状態において、プリント基板に予め形成していた全ての取り付け部に信号発信素子を取り付けた状態を示している。
【図４】上記コントローラの外観斜視図であり、リモコンケースの左側の上端部と正面上部の発信窓部から信号を発している状態を示し、リモコンケースの内部の左側に取り付けられた二つ信号発信素子から信号が発しられている。
【符号の説明】
【００１４】
１      リモコンケース
１１    発信窓部
１２    リモコンケースの正面蓋
１３    透光体
２      プリント基板
２１    信号発信素子用の取り付け部
３      信号発信素子
３１    信号
【図１】
2010074570.tif 000003
【図２】
2010074570.tif 000004
【図３】
2010074570.tif 000005
【図４】
2010074570.tif 000006